(57)【特許請求の範囲】
【請求項１】
長手軸を有する歯科用フィクスチャ部品であって、
患者の顎骨に設置され、最大外側包絡線の直径を有する本体部と、
前記本体部に隣接し、前記本体部に対して頭部側に設置される少なくとも１つの凹面を有し、前記軸に沿った長手方向の長さ、舌側の側面、および顔側の側面を有する出芽形状部と、
前記出芽形状部に隣接する第一の端部と、円周方向に間隔をおいて並べられる少なくとも二つの保持凹所を有する第二の端部を具備する終端部とを有する、前記出芽形状部に隣接する先細りの冠状部とを備えており、
前記凹面における前記出芽形状部の直径が最大外側包絡線の直径よりも小さく、
前記第二の端部が、前記先細りの冠状部の舌側の弓状面と、前記先細りの冠状部の顔側の弓状面とをさらに備え、 
前記歯科用フィクスチャ部品が、舌側および顔側を具備するマージンショルダを有する外面をさらに備え、
前記マージンショルダが、前記終端部から連続して軸方向に沿って傾斜していくように、前記舌側から前記顔側に向かって隣接する歯の間を延び、
前記舌側と前記顔側との間では、前記マージンショルダの前記舌側が前記終端部に対してより接近した位置にあり、
前記マージンショルダが、前記マージンショルダの半径方向に最も遠い端部と前記先細りの冠状部の前記第一の端部との間に軸方向に位置する弓状の移行領域をさらに備え、
前記先細りの冠状部の前記第一の端部が半径方向外側に向かって、軸方向に前記終端部の方向とは反対側に向かって、かつ、前記マージンショルダの半径方向に最も遠い端部に向かって、連続的に広がっていくように、前記先細りの冠状部の前記第一の端部の半径を前記軸に沿って拡げることにより移行領域が形成され、
前記出芽形状部の前記凹面が前記マージンショルダに対して根本側に配置されている、歯科用フィクスチャ部品。
【請求項２】
前記終端部が、前記外表面の対向する位置にある一対の保持凹所を有している請求項1に記載の歯科用フィクスチャ部品。
【請求項３】
前記出芽形状部の前記長手方向の長さが、前記舌側の側面において前記顔側の側面よりも大きい請求項1に記載の歯科用フィクスチャ部品。
【請求項４】
前記本体部が、ねじなしの柱を有している請求項1に記載の歯科用フィクスチャ部品。
【請求項５】
前記ねじなしの柱が、先細りである請求項4に記載の歯科用フィクスチャ部品。
【請求項６】
前記先細りの冠状部の舌側の側面に配置された長手溝をさらに有している請求項1に記載の歯科用フィクスチャ部品。
【請求項７】
前記先細りの冠状部が、長手軸からの或る角度に設定された中心軸を有している請求項1に記載の歯科用フィクスチャ部品。
【請求項８】
前記先細りの冠状部の隣接歯間の側面に配置された少なくとも1つの平坦部をさらに有している請求項1に記載の歯科用フィクスチャ部品。
【請求項９】
前記本体部が、1つ以上のねじ山と、骨に面するように構成された頭端部とを含み、最大外側包絡線の直径とを有し、
前記出芽形状部は、歯科用フィクスチャの組織外表面を形成する第1の凹面を有し、
前記第1の凹面は、前記ねじ山から分離しており、
前記第1の凹面における前記出芽形状部の外直径は、前記最大外側包絡線の直径以下である、請求項1に記載の歯科用フィクスチャ部品。
【請求項１０】
先細りの冠状部が、非金属材料からなる請求項1に記載の歯科用フィクスチャ部品。
【請求項１１】
前記ねじ山付きの本体部が、2条ねじおよび3条ねじの少なくとも一方を備えている請求項9に記載の歯科用フィクスチャ部品。
【請求項１２】
前記ねじ山付きの本体部が、粗面を備えている請求項9に記載の歯科用フィクスチャ部品。
【請求項１３】
前記出芽形状部が、被膜を備えている請求項9に記載の歯科用フィクスチャ部品。
【請求項１４】
前記被膜がチッ化物を含んでいる請求項13に記載の歯科用フィクスチャ部品。
【請求項１５】
前記出芽形状部が、着色された表面をさらに有している請求項9に記載の歯科用フィクスチャ部材。
【請求項１６】
前記本体部が、ねじ部を有し、
前記先細りの冠状部は、前記フィクスチャ部品の設置を駆動するための工具係合用造作を含む内側穴を有している、請求項1に記載の歯科用フィクスチャ部品。
【請求項１７】
前記工具係合用造作が、前記内側穴の多角形断面を有している一部分である請求項16に記載の歯科用フィクスチャ部品。
【請求項１８】
前記先細りの冠状部が、非金属材料からなる請求項16に記載の歯科用フィクスチャ部品。
【発明の詳細な説明】
【技術分野】
【０００１】
本発明は、歯科用フィクスチャおよび歯科修復用部品の選択方法に関するものである。
【背景技術】
【０００２】
歯科技術は、自然歯の喪失を補償するためのさまざまな方法および装置を提供している。例えば、自然歯を、一体のインプラントまたはインプラントへと固定された別個のアバットメントに取り付けられる人工歯で置き換えることが可能である。別個のインプラントおよびアバットメントを使用する場合には、最初にインプラントが、典型的にはねじ係合によって患者の顎骨に設置される。次いで、別個のアバットメントが、インプラントの歯冠側の端部へと固定され、インプラントが患者の顎骨に充分に一体化した後で、人工歯がアバットメントへと固定される。一体または一部品のインプラントを使用する歯科修復においては、インプラントが患者の顎骨に設置され、骨との一体化のための充分な時間が与えられる。この期間の後に、人工歯が、一体型のインプラントの歯冠側の端部に設置される。
【０００３】
歯科修復を実行するプロセスにおいて、人工歯の製作の助けとするために、患者の口腔のモデルを製作することが望まれる場合がある。そのような場合に、モデルの精度を高めるために、印象または転写コーピングを使用することができる。印象コーピングが、患者の口腔の印象の取得に先立って、アバットメントまたは一体型のインプラントへと配置される。患者の口腔から印象材料が取り出されるとき、コーピングが、印象剤に残って、アバットメントまたは一体型のインプラントから離れる。一体型のインプラントまたはインプラントとアバットメントとからなる集合体の類似物が、印象材料に係合したままのコーピングへと挿入される。鋳造材料が印象および上記類似物の周囲へと注がれ、患者の口腔のモデルが生成される。これにより、患者の口腔におけるインプラントまたはアバットメントの位置を正確に特定でき、設置後の人工歯が適切にフィットするように保証するうえで役に立つ。
【発明の開示】
【発明が解決しようとする課題】
【０００４】
本発明のシステムの実施の形態は、歯科修復システムならびにアバットメント、一体型のインプラント、印象キャップ、および他の構成部品を含む歯科修復材を提供するための方法および装置に向けられている。
【発明を実施するための最良の形態】
【０００５】
以下の説明および特許請求の範囲の全体を通じて、システムの特定の特徴または構成要素を指すために特定の用語が使用される。本明細書は、名称が異なるが機能は異ならない特徴または構成要素を区別するものではない。
【０００６】
以下の説明および特許請求の範囲において、用語「含む」および「備える」は、開かれた意味で使用され、したがって「・・・を含むが、・・・に限られるわけではない」との意味に解釈すべきである。また、用語「冠状部（coronal）」は、歯科用インプラントまたは歯科用部品において、患者の顎骨から遠い方の部位を指し、あるいは当該部品が患者の口腔に設置された後に歯の根元から最も遠い歯冠または義歯冠の方向の部位を指す。用語「根元部（apical）」は、歯科用インプラントまたは歯科用部品において、患者の顎骨に近い方の部位を指し、あるいは当該装置が患者の口腔に設置された後の歯の根元の頂点の方向の部位を指す。用語「顔側（facial）」または「頬側（buccal）」（臼歯の場合）は、歯科用インプラントまたは歯科用部品において、外側を向いている部位または患者の舌から離れる方を向いている部位を指し、用語「舌側（lingual）」は、歯科用インプラントまたは歯科用部品において、内側を向いている部位または患者の舌の方を向いている部位を指す。用語「隣接歯間（interproximal）」は、歯科用インプラントまたは歯科用部品において、隣の歯に面する部位を指す。用語「出芽形状部（emergence profile portion）」は、歯科用インプラントまたは歯科用部品において、患者の歯肉組織を貫いて延びる部位を指す。用語「多条ねじ」は、ねじ表面の開始端（例えば、歯科用インプラントの根元端）から2つ以上のねじ山が出発しているねじを指す。
【０００７】
最初に図1〜4を参照すると、アバットメント100が示されており、出芽形状部140を多角形のベース部115と先細りの柱状部または冠状部135との間に配置して備えている。さらに、アバットメント100は、内部の長手穴180および出芽形状部140と先細りの冠状部135との間に配置されたマージンショルダ150を備えている。
【０００８】
多角形のベース部115が、インプラント（図示されていない）に形成された同様の形状の凹所と対合するように構成され、これと摩擦によって保持される場合がある。インプラントの凹所は、複数のおおむね平坦な表面を含んでいる多角形の内表面を備えている。
【０００９】
出芽形状部140は、出芽形状部140の外周のまわりに広がる凹面132および凸面133を有している。冠状部135は、一対の保持凹所110および縦溝120をさらに有している。図示のとおり、保持凹所110は、アバットメント100の歯冠側の端部の外表面において、アバットメントの長手軸119に対して横方向に位置している。保持凹所110が、アバットメント100の隣接歯間の側面に描かれているが、舌側および頬側の側面の一方または両方にも配置することが可能である。図1〜4の実施の形態においては、縦溝120が、先細りの冠状部135の舌側の側面に配置されているが、他の実施の形態においては、縦溝120を、先細りの冠状部135の顔側の側面または隣接歯間の側面に配置することができる。
【００１０】
凹面132が、小さな面取り134に隣接して形成され、次いで凹面132に隣接する凸面133へと推移している。面取り134から凸面133に向かって移動する際、凹面132は徐々に断面積を増しており、アバットメント100において歯科用インプラントと取り合う基部の付近の骨の成長を促進すべく、軟組織の脈管化のためのより大きな余地をもたらしている。出芽形状部140の外表面に隣接する領域において軟組織および骨の成長を促進することが、後退した組織が歯冠と隣の歯との間に知覚できるほどのすき間を残す可能性があるため、重要である。後退が大きくなると、アバットメント100が露出し、さらにはインプラントが露出する可能性もあり、審美的に望ましく、疾患または感染に対して脆弱になる可能性があり、インプラントの不具合にさえつながる可能性がある。
【００１１】
図1〜4の実施の形態においては、凹面132および／または凸面133は、可変の曲率半径を有している。これは、半径が一定ではなく、部位132および133の外表面に沿った個々の位置において異なっていることを意味している。図示の実施の形態においては、凹面132の直径が、面取り134に最も近い領域において3.5ミリメートルであり、凸面133の直径が、マージンショルダ150に隣接する領域において4.7ミリメートルである。さらに詳しく後述されるとおり、他の実施の形態は、図1〜4に関して図示および説明されるものとは異なる直径および長さの出芽形状部を有している。
【００１２】
図2に示されているように、マージンショルダ150は、出芽形状部140の最外縁と先細りの冠状部135との間に広がる弓形の移行領域160を有している。この実施の形態においては、移行領域160が、可変の曲率半径を有しており、すなわち図2に示した外形図において、半径が移行領域160に沿った個々の位置で異なっている。マージンショルダ150は、マージンショルダ150の舌側153がマージンショルダ150の顔側152よりもベース部115に対してより高い点まで延びるように、連続的に傾いている隣接歯間の側面151を有している。この隣接歯間の側面151の連続的な傾斜は、正から負または負から正への傾きの変化を含んでいない。さらに図2には、出芽形状部140の舌側の側面141が、出芽形状部140の顔側の側面142よりも大きな長手方向長さを有することが示されている。隣接歯間の傾斜面151は、真っ直ぐであっても、湾曲していてもよい。
【００１３】
マージンショルダ150は、真の円錐の一部分であるコーン部をさらに備えることができる。そのようなコーン部の形状は既知の数式にもとづいているため、そのようなコーン部を備えることで、製造時の品質保証の目的での寸法の検証をより容易にすることができる。すなわち、コーン部の1点を寸法的に正確であると確認できるならば、コーン部の他の点を、コーン部を定義する式にもとづいて比較的容易に検証することができる。そのようなコーン部は、例えば、マージンショルダの位置163に配置することができる。さらに、より複雑な解剖学的輪郭に対して円錐および円柱などといった単純な形状を使用することで、優れた形状の制御、したがってより良好な公差を維持することが可能である。公差の管理の向上により、アバットメントまたはインプラントのマージン部と相手方である転写コーピングまたは他の修復材とを、よりぴったりと合わせることが可能になる。
【００１４】
図1〜4の実施の形態においては、縦溝120が、マージンショルダ150と先細りの冠状部135の終端部137との間に配置されている。終端部137の断面は、典型的な従来技術の（同程度の直径の）アバットメントにおいて見られる冠状部の対応する領域よりも小さく、舌側の弓状面138および反対側の顔側の弓状面139を有している。この様相ゆえ、弓状面138と139を、対向弓状面と称することができる。
【００１５】
典型的なアバットメント柱に比べ、終端部137の小さなサイズおよび輪郭付けられた形状ゆえ、歯科修復技師が人工歯（図示されていない）を先細りの冠状部135へと設置する前に行わなければならない準備作業の量が、最小限で済む。歯科用アバットメントの冠状部についての準備作業が、典型的には人工歯の配置に先立って必要であることを、当業者であれば容易に理解できるであろう。舌側の弓状面138および顔側の弓状面139が、すでに歯科修復技師によって修正された冠状部端を複製している。さらに、先細りの冠状部135が、ショルダ150の付近の領域において外側へと広がっており、人工歯がアバットメント100へと設置された後に着座する土台または出っ張りをもたらしている。
【００１６】
図3の断面図に示されているように、穴180が、ねじ部またはねじ領域190を有している。アバットメント100がインプラント（図示されていない）へと、多角形のベース部115をインプラントの上部の対応する凹所へと挿入し、次いで固定ねじ（図示されていないが、例えば図62A、62B、および62Eを参照）を穴180の上部へと挿入することによって取り付けられる。固定ねじは、最初にねじ領域190に係合し、次にインプラントのねじ穴に係合し、アバットメント100をインプラントへと固定する。
【００１７】
アバットメント100は、チタニウム6ALV4またはセラミックなど、さまざまな生体適合材料から製造できる。さらに、アバットメント100の一部（出芽形状部140など）を、所望の色または他の表面特性をもたらすために、陽極酸化することができ、あるいはチッ化チタニウムなどのチッ化材料または他の着色剤で被覆することができる。チッ化チタニウムの被膜は、インプラントの表面に金色を生み出し、未処理のチタニウムよりも一般的により審美的に喜ばしいと考えられる外観をもたらす。また、アバットメント100の一部を処理し、被覆し、あるいは粗くして、それら処理面の領域または処理面に隣接する領域における軟組織の付着または成長を促進することができる。
【００１８】
1つの実施の形態を図1〜4に示したが、他の実施の形態も、図1〜4に示した特徴の多くを含んでいる。その寸法は、図1〜4の実施の形態と異なっている。例えば、図5が、代替的な実施の形態の隣接歯間の図（図2に示した図と同様）を示している。図5の実施の形態においては、出芽形状部140の長手方向の長さが、図2に示したものよりも小さい。結果として、図5の実施の形態においては、図2の実施の形態と比べ、舌側の側面141および顔側の側面142が、多角形のベース115からあまり遠く延びていない。例えば、寸法A（「カフ高さ」と呼ばれることがあり、軸119に平行に測定される）が、図5に示した実施の形態においては約1ミリメートルであり、図2に示した実施の形態においては約2ミリメートルである。
【００１９】
図6も、図1〜4に示した実施の形態に対する代替的な実施の形態を示している。図6の実施の形態においては、出芽形状部140の長手方向の長さが、図2に示したものよりも大きい。結果として、図6の実施の形態においては、図2の実施の形態と比べ、舌側の側面141および顔側の側面142が、多角形のベース115から遠くまで延びている。例えば、寸法Aが、図6に示した実施の形態においては約3ミリメートルであるのに対し、図2に示した実施の形態のカフ高さは、約2ミリメートルである。
【００２０】
図7〜9は、上述の実施の形態と同じ全体構成を有しているアバットメントの他の実施の形態を示している。図7〜9に示されているように、アバットメント400は、穴480、多角形のベース部415、出芽形状部440、および先細りの柱または冠状部435を有している。先に説明した実施の形態と同様、この実施の形態も、一対の保持凹所410、縦溝420、ならびに凹面432および凸面433を有する出芽形状部440を有している。
【００２１】
図8に示されているように、アバットメント400は、弓形の移行領域460を備えるマージンショルダ450をさらに有しており、移行領域460が、その長さに沿って変化する曲率半径を有している。マージンショルダ450は、マージンショルダ450の舌側443がマージンショルダ450の顔側452よりも高くなるように傾斜した隣接歯間の側面451を有しており、この隣接歯間の側面451の傾斜は、舌側443から顔側452への傾きに正から負または負から正への傾きの変化が存在しないような傾きである。やはり図8に示されているが、出芽形状部440の舌側の側面441は、出芽形状部440の顔側の側面442よりも大きな長手方向長さを有している。すでに述べたように、隣接歯間の傾斜面441は、横から見たときに、真っ直ぐであっても、湾曲していてもよい。
【００２２】
この実施の形態においても、先細りの柱または冠状部435は、顔側の弓状面439と対向する舌側の弓状面438を備えている終端部437を有している。すでに説明したとおり、終端部437は、同様の直径の典型的な改良前の従来技術のインプラントに見られる冠状部にくらべ、より小さな冠状部を呈している。
【００２３】
図9に最もよく示されているように、アバットメント400は、出芽形状440の上部の隣接歯間領域に一対の平坦部455を備えている。平坦部455は、隣接歯間領域における軟組織および骨の成長のために、隣り合う歯の間により大きな空間を可能にしている。図7〜9の実施の形態においては、出芽形状部440は、面取り434に隣接する領域において4.5ミリメートルの直径を有し、マージンショルダ450の下方かつ先細りの冠状部435に隣接する領域において5.5ミリメートルの直径を有している。
【００２４】
次に図10を参照すると、代替的な実施の形態の隣接歯間の図（図8に示した図と同様）が示されている。図10の実施の形態においては、出芽形状部440の長手方向の長さが、図8に示した実施の形態のものよりも小さい。結果として、図10の実施の形態においては、図8の実施の形態と比べ、舌側の側面441および顔側の側面442が、多角形のベース415からあまり遠く延びていない。例えば、寸法Aは、図10に示した実施の形態においては約1ミリメートルであり、図8に示した実施の形態においては、カフ高さが約2ミリメートルである。
【００２５】
図11も、図7〜9に示した実施の形態に対する代替的な実施の形態を示している。図11の実施の形態においては、出芽形状部440の長手方向の長さが、図8に示したものよりも大きい。結果として、図11の実施の形態においては、図8に示した実施の形態と比べ、舌側の側面441および顔側の側面442が、多角形のベース415からより遠くまで延びている。例えば、寸法Aは、図11に示した実施の形態においては約3ミリメートルであるのに対し、図8に示した実施の形態においては、カフ高さが約2ミリメートルである。
【００２６】
図12〜14は、上述の実施の形態と同じ全体構成を有している別のアバットメントの実施の形態を示している。しかしながら、図12〜14の実施の形態においては、アバットメント500が、面取り534に隣接する領域において5.7ミリメートルの直径を有し、マージンショルダ550の下方かつ先細りの柱または冠状部535に隣接する領域において6.5ミリメートルの直径を有する出芽形状部540を備えている。図12〜14に示した実施の形態は、多角形のベース部515、出芽形状部540、および先細りの冠状部535を有している。この実施の形態も、出芽形状540の上部の隣接歯間領域に一対の平坦部555を有している。
【００２７】
次に図15を参照すると、代替的な実施の形態の隣接歯間の図（図13に示した図と同様）が示されている。図15の実施の形態においては、出芽形状部540の長手方向の長さが、図13に示したものよりも小さい。結果として、図15の実施の形態においては、図13の実施の形態と比べ、舌側の側面541および顔側の側面542が、多角形のベース515からあまり遠く延びていない。例えば、寸法Aは、図15に示した実施の形態においては約1ミリメートルであり、図13に示した実施の形態においては、カフ高さは約2ミリメートルである。
【００２８】
図16も、図12〜14に示した実施の形態に対する代替的な実施の形態を示している。図16の実施の形態においては、出芽形状部540の長手方向の長さは、図13に示したものよりも大きい。結果として、図15の実施の形態においては、図13に示した実施の形態と比べ、舌側の側面541および顔側の側面542は、多角形のベース515からより遠くまで延びている。例えば、寸法Aは、図16に示した実施の形態においては約3ミリメートルであるのに対し、図13に示した実施の形態においては、カフ高さは約2ミリメートルである。
【００２９】
別のアバットメント701〜703が、図17〜19にそれぞれ示されている。それぞれのアバットメント701〜703は、先に説明した実施の形態と同じ全体構成を有する先細りの冠状部735およびマージンショルダ750を有している。しかしながら、図17〜19に示した実施の形態は、おおむね円柱形であって、先の実施の形態に示されている凹面および凸面を有していない出芽形状部740を有している。図17〜19の実施の形態は、部位740の円柱面に沿ったすべての位置で直径が4.5ミリメートルである出芽形状部740を有しているが、他の実施の形態は、他の直径を有する出芽形状部を有することができる。図示のとおり、図17〜19の実施の形態では、出芽形状部740の長手方向の長さが異なっており、寸法Aがおおよそ、図18のアバットメント701においては1ミリメートルであり、図17のアバットメント702においては2ミリメートルであり、図19のアバットメント703においては3ミリメートルである。他の実施の形態は、異なった長さの出芽形状部を備えることができる。
【００３０】
もう1つの代替的な実施の形態が、図20および21に示されており、アバットメント300が、多角形のベース部315、面取り334、出芽形状部340、および先細りの冠状部335を有している。アバットメント300は、すでに述べたように一対の保持凹所310および縦溝320を有している。この実施の形態においては、出芽形状部340の基部が、凹面330と面取り334との間に配置された下部凸面341を有している。出芽形状部340は、凹面330とマージンショルダ350との間の上部凸面343をさらに有している。図20および21に示されているように、下部凸面341は、上部凸面343の曲率半径よりも小さい曲率半径を有している。例えば図1〜4に関して図示および説明したアバットメント100と比べ、凹面330が、アバットメント300の周囲の軟組織および骨の成長のためにさらにより大きな余地を可能にしている。凹面330は、さまざまな構成（さまざまな直径、長さ、または柱の角度、など）のアバットメントに取り入れることが可能である。すなわち、凹領域330において、アバットメント300の断面の直径が、アバットメント300の凹領域330に対して根元側に位置する部位（図20における凹領域330の下方の部位）の最大の広がりよりも小さい。これにより、歯肉を貫くアバットメント300の表面に凹所が生み出される。
【００３１】
もう1つの代替的な実施の形態が、アバットメント600として図22〜26に示されており、多角形のベース部615、出芽形状部640、および先細りの柱または冠状部635を有している。先に述べた実施の形態と同様、この実施の形態も、一対の保持凹所610、縦溝620、ならびに凹面632および凸面633を有する出芽形状部640を有している。さらに、マージンショルダ650が、出芽形状部640と先細りの冠状部635との間に配置されている。図1〜4に示した実施の形態と同様に、図22〜26の実施の形態は、直径が約3.5ミリメートルから約4.5ミリメートルへと増加し、カフ高さ（図25に寸法Aとして示されている）が約2ミリメートルである出芽形状部を有している。
【００３２】
この実施の形態においても、先細りの冠状部635が、顔側の弓状面639と対向する舌側の弓状面638を備えている終端部637を有している。図22〜26に示されているように、終端部637は、冠状部の上部を小さくしたものである。
【００３３】
図23に示されているように、先細りの冠状部635は、先に説明した実施の形態と異なり、ベース部615および出芽形状部640の中心を通過する長手軸619に対して平行でない中心軸629を有している。この実施の形態においては、中心軸629が、長手軸619から17度の角度に設定されている。他の実施の形態においては、中心軸629が、17度以外の角度に設定される。したがって、アバットメント600を、柱635がベース部615および軸619に対して傾けられている角度付きアバットメントと称することができる。
【００３４】
図25の断面図に示されているように、アバットメント600は、長手軸619と平行であって、好ましくは長手軸619と同軸に位置合わせされた穴680を有している。さらに穴680は、ねじ部690と、アバットメント600をインプラントへと固定するために使用される固定ねじ（図示されていない）の冠状部を係合させる段部685とを備えている。
【００３５】
代替的な実施の形態が、アバットメント800として図27に示されており、図22〜26に示したアバットメント600と同じ全体構成を有している。しかしながら、図22〜26の実施の形態においてカフ高さが2ミリメートルであるのに対し、アバットメント800の寸法Aは、約1ミリメートルである。
【００３６】
もう1つの代替的な実施の形態が、アバットメント900として図28〜31に示されており、基部980、多角形のベース部915、出芽形状部940、および先細りの冠状部935を有している。図28〜31の実施の形態も、一対の保持凹所910、縦溝920、ならびに凹面932および凸面933を有する出芽形状部940を備えている。図29に示されているように、さらにアバットメント900は、弓状の移行領域960を備えるマージンショルダ950を有しており、移行領域960は、輪郭に沿って変化する一様でない曲率半径を有している。マージンショルダ950は、マージンショルダ950の舌側943がマージンショルダ950の顔側952よりも高くなるように傾斜した隣接歯間の側面951を有している。やはり図29に示されているが、出芽形状部940の舌側の側面941が、出芽形状部940の顔側の側面942よりも大きな長手方向長さを有している。すでに述べた図22〜26の実施の形態と同様に、先細りの冠状部935は、ベース部915および出芽形状部940の長手軸919から17度の角度に配置された中心軸929を有している。
【００３７】
図28〜31の実施の形態においては、出芽形状部940が、面取り934に隣接する領域において4.5ミリメートルの直径を有し、先細りの冠状部935に隣接する領域において5.5ミリメートルの直径を有している。
【００３８】
図30および31に最もよく示されているように、アバットメント900も、出芽形状940の上部の隣接歯間領域に一対の平坦部955を備えている。平坦部955が、隣接歯間領域における軟組織および骨の成長のため、歯の間により大きな空間を可能にしている
次に図32を参照すると、代替的な実施の形態の隣接歯間の図（図29に示した図と同様）が示されている。図32のアバットメント900の出芽形状部940は、図29に示したアバットメントの出芽形状部よりも小さい長手方向の長さを有している。結果として、図32の実施の形態においては、図29の実施の形態と比べ、舌側の側面941および顔側の側面942が、多角形のベース915からあまり遠く延びていない。例えば、寸法Aが、図32に示した実施の形態においては約1ミリメートルであるのに対し、図29に示した実施の形態においては、カフ高さは約2ミリメートルである。
【００３９】
図33〜36は、また別のアバットメントの実施の形態を示しており、図28〜31の実施の形態と同じ全体構成を有している。図33〜36に示した実施の形態においては、アバットメント1000が、穴1080、多角形のベース部1015、出芽形状部1040、および先細りの冠状部1035を有している。図28〜31の実施の形態と同様、先細りの冠状部または柱1035が、ベース部1015および出芽形状部1040の長手軸1019から17度の角度に設定された中心軸1029を有している。この実施の形態も、出芽形状1040の上部の隣接歯間領域に一対の平坦部1055を備えている。しかしながら、図33〜36の実施の形態においては、アバットメント1000は、面取り1034に隣接する領域において5.7ミリメートルの直径を有し、先細りの冠状部1035に隣接する領域において6.5ミリメートルの直径を有する出芽形状部1040を備えている。
【００４０】
次に図37を参照すると、代替的な実施の形態の隣接歯間の図（図34に示した図と同様）が示されている。図37の実施の形態においては、アバットメント1000の出芽形状部1040が、図34に示したアバットメントの出芽形状部よりも小さい長手方向の長さを有している。結果として、図37の実施の形態においては、図34の実施の形態と比べて、舌側の側面1041および顔側の側面1042が、多角形のベース1015からあまり遠く延びていない。例えば、寸法Aが、図37に示した実施の形態においては約1ミリメートルであるのに対し、図34に示した実施の形態においては、カフ高さは約2ミリメートルである。
【００４１】
アバットメント1100のさらの他の代案の実施の形態が、図38および39に示されている。アバットメント1100が、先に説明した実施の形態と同じ全体構成を有する先細りの冠状部1135およびマージンショルダ1150を有している。しかしながら、図38および39に示した実施の形態は、マージン1150と面取り1134との間を延びるおおむね円柱形の外表面を備えており、先の実施の形態に示した凹面および凸面を有していない出芽形状部1140を有している。図38および39の実施の形態が、直径が4.5ミリメートルである出芽形状部1140を有するのに対し、他の実施の形態は、別の直径の出芽形状部を有することができる。図示のとおり、図38および39の実施の形態は、長さの異なる出芽形状部1140を有しており、寸法Aがおおよそ、図38においては1ミリメートルであり、図39においては2ミリメートルである。他の実施の形態は、異なった長さの出芽形状部を備えることができる。
【００４２】
上述のように、本発明の実施の形態は、いくつかの異なる構成を有するアバットメントを含んでいる。出芽形状の直径および長さ、ならびに先細りの冠状部と出芽形状部との間の角度（そのような角度が設けられる場合）などの寸法は、個々の患者の必要性に合致するように変更することが可能である。利用可能な空間の大きさおよびインプラントの向きなどといった要因が、患者について歯の修復を実行するときに、どのアバットメントを選択するかについての医師の決定を左右する。
【００４３】
直線状または角度付きのどちらのアバットメントを選択すべきかの判断をする助けとするため、医師は、試行の取り付けのためのフィッティング・アバットメントを使用することができる。図40に示されているように、フィッティング・アバットメント1200は、長手軸1218を有する多角形のベース部1215と、凹面1232および凸面1233を有する出芽形状部1240を備えている。しかしながら、フィッティング・アバットメント1200は、先の実施の形態において示したものと同様の先細りの冠状部の代わりに、長手軸1238を有する真っ直ぐなピーク1236と長手軸1239を有する斜めのピーク1237とを備える冠状部1235を有している。長手軸1238が、長手軸1218におおむね平行かつ同軸であるのに対し、長手軸1239は、長手軸1218から傾けられ、長手軸1218に対して平行でない。真っ直ぐなピーク1236が、恒久用の真っ直ぐなアバットメントの柱の位置を複製するのに対し、斜めのピーク1237は、恒久的角度付きアバットメントの柱の位置を複製している。これにより、医師が、フィッティング・アバットメント1200を患者の口腔において修復を行う部位に配置し、真っ直ぐなアバットメントまたは角度付きのアバットメントが最良の適合をもたらすかどうかを判断することができる。フィッティング・アバットメント1200は、適切なサイズの決定においても医師の助けとなるよう、さまざまな直径および長さにて製作が可能である。フィッティング・アバットメント1200は、チタニウムまたは恒久的なアバットメントに典型的に使用される他の材料よりも安価な、プラスチックなどの材料で製作可能である。
【００４４】
本発明の他の実施の形態は、別個の骨係合用インプラント部材へと固定することができるアバットメント部材またはアバットメント部品を有している集合体と異なり、骨係合用基礎部分および骨係合用基礎部分と一体である義歯取り付け用のアバットメント部分を備えている一体または一部品のインプラント構造体を含んでいる。そのような実施の形態の1つが図41〜44に示されており、出芽形状部1340を本体部1395と先細りの冠状部または柱1335との間に配置して備える一体型のインプラント1300を有している。一体型のインプラント1300は、出芽形状部1340と先細りの冠状部1335との間にマージンショルダ1350をさらに有している。
【００４５】
先細りの冠状部1335は、一対の平坦部1347、縦溝1320、および終端部1337を有しており、終端部1337が、長手軸1319に対して横方向である一対の保持凹所1310を備えている。この実施の形態においては、平坦部1347および保持凹所1310は隣接歯間の位置に示され、縦溝1320は舌側の位置に示されているが、他の実施の形態は、平坦部または溝を別の位置に備えることができる。平坦部1347は、インプラント1300の設置時に、インプラント1300を患者の骨へとねじ込んで係合させるうえで役立つよう、回転工具を係合させてインプラント1300を回転させるために使用することができる。図41〜44に示した実施の形態においては、この実施の形態が、セメント固定の義歯を取り付けるべく使用されるように意図されており、あるいは先細りの冠状部の断面積が内部に穴を備えるために充分でない構成において使用されるように意図されているため、先細りの冠状部1335が長手方向の穴を有していない。
【００４６】
終端部1337は、舌側の弓状面1338を顔側の弓状面1339と対向するように備えており、同様の直径の典型的な改良前の従来技術のアバットメントに比べ、より小さな冠状部を具現化している。
【００４７】
すでに述べたように、終端部1337のサイズが小さくされているため、歯科修復技師が人工歯（図示されていない）を先細りの冠状部1335へと設置する前に行わなければならない準備作業の量が、最小限で済む。一部品のインプラントに対して必要な準備を最小限にすることは、準備が口腔において実行されるため、とくに重要である。準備の際に生じる破片および熱が、組織の健康に悪影響を及ぼす可能性があり、インプラントの不良を引き起こす可能性すらある。さらに、舌側の弓状面1338および顔側の弓状面1339が、歯科修復技師または医師によって修正された後の端部の外観を複製している。さらに、先細りの冠状部1335が、マージンショルダ1350の付近の領域において外側へと広がっており、人工歯がインプラント1300へと設置されたときに着座する土台または出っ張りをもたらしている。
【００４８】
図42に示されているように、マージンショルダ1350が、先細りの冠状部1335と出芽形状部1340との間に配置されている。マージンショルダ1350は、弓形の移行領域1360を有しており、移行領域1360は、この領域の輪郭の長さに沿って変化する曲率半径を有することができる。さらに、マージンショルダ1350は、マージンショルダ1350の舌側1343がマージンショルダ1350の顔側1352よりも高くなるよう、連続的に傾いている隣接歯間の側面1351を有している。やはり図42に示されているように、出芽形状部1340の舌側の側面1341が、出芽形状部1340の顔側の側面1342よりも大きな長手方向長さを有している。マージンショルダ1350、ならびに本明細書の全体において記載される他のマージンショルダは、本明細書において例示される種々の実施の形態に示されているように、湾曲していても、真っ直ぐであってもよい。
【００４９】
さらに、出芽形状部1340は、本体部分1395に隣接して、顔側の凹面1332および舌側の凹面1333を有している。すでに述べたように、凹面1332および1333が、骨の成長を促進すべく軟組織の脈管化のためのより大きな余地をもたらしており、審美性を改善するとともに、感染の可能性を少なくしている。図42に示されているように、凹面1332および1333は、ねじ山付きの本体部1395の上部の外側包絡線の直径D1において広がっている。外側包絡線の直径D1は、本体部1395の最大の包絡線の直径である。凹面1332および1333は、図41〜44に示した構成以外にも、さまざまな構成を有することができる。例えば、凹面1332および1333が、複数または単一の曲率半径を有することができ、出芽形状部1340へとさまざまな深さまで延びることができる。さらに、凹面1332の曲率半径の中心は、外側包絡線の直径D1の範囲内に位置でき、あるいは外側包絡線の直径D1の外側に位置できる。図41〜44の実施の形態においては、舌側の凹面1333が、顔側の凹面1332よりも大きな曲率半径を有しており、顔側の凹面1332の方が、舌側の凹面1333よりも深く出芽形状部1340へと延びている。このように、凹面1332が、出芽領域に凹所を生み出している。
【００５０】
図41〜44の実施の形態に示されているように、本体部1395は、ねじ部1396およびねじなしのカラー部1397を有している。カラー部1397は、おおむね円錐台形状の表面を有するテーパ部1398と、円柱部1399とを有している。いくつかの実施の形態においては、ねじ部1396が先細りであって、2条または3条ねじなどの多条ねじを備えており、ねじなしのカラー部1397の表面が粗くされている。
【００５１】
多条ねじを使用することで、インプラント1300を、単条ねじが使用される場合に比べてより少ない回転で患者の顎骨へと完全に挿入することができる。これは、インプラント1300の挿入に要する時間を短縮し、作業時間を短縮することによって患者の不快および危険を少なくする。一実施の形態のさらに他の態様においては、色付きの点またはねじの食刻部（図示されていない）などといった一連のマーカを、インプラント1300がどの程度まで患者の顎骨へと挿入されたのかを知らせるために、ねじ部1396に配置することができる。この特徴によれば、インプラント1300の挿入を行う者が、インプラント1300がどの程度まで患者の顎骨へと挿入されたのかを知ることができ、インプラント1300の不適切な挿入というリスクを少なくすることができる。
【００５２】
インプラント1300は、チタニウム6ALV4、セラミック、ポリマー、またはポリマー複合材料、あるいはこれらの組み合わせなど、さまざまな生体適合材料から製造できる。例えば、アバットメント部は、セラミックまたはポリマー複合材料であってよく、インプラント部は、チタニウムであってよい。さらに、インプラント1300の一部（出芽形状部1340など）を、所望の色または他の表面特性をもたらすために、陽極酸化することができ、あるいはチッ化チタニウムなどの材料または他の着色剤で被覆することができる。また、インプラント1300の一部を、表面の粗さを増すべく粗面化剤を含んでいる被膜で処理することができる。
【００５３】
本システムの実施の形態の他の態様においては、インプラント1300の一部に、マイクロテクスチャリングまたは化学エッチングなどといった種々の方法によってテクスチャを与えることができる。インプラント1300の表面粗さを増すことは、表面積を増すことであり、したがってインプラント1300の周囲での骨の一体化および軟組織の成長が促進される。一実施の形態においては、マイクロテクスチャリングなどの第1のプロセスが、インプラント1300の根元部分の表面粗さを増すために使用され、化学エッチングなどの第2のプロセスが、インプラントの冠状部の表面粗さを増すために使用される。この実施の形態においては、インプラントの根元部分の表面仕上げは、冠状部の表面仕上げよりも粗い。他の実施の形態においては、第2の機械的なブラスト処理（マイクロテクスチャリングにおいて使用される媒体よりも攻撃的でない媒体による）は、冠状部の表面粗さを増すために化学エッチングの代わりに使用される。
【００５４】
一実施の形態においては、インプラント1300の一部分が、インプラントにヒドロキシアパタイト粒子を吹き付けることによってマイクロテクスチャ処理され、他の部位が、希釈した塩酸（HCl）によってエッチングされる。この実施の形態においては、5重量モルのHClが20:1の比にて水によって希釈され、インプラント1300の一部分を化学的にエッチングするために使用される。
【００５５】
一体型のインプラントの代替的な実施の形態が、インプラント1400として図45〜49に示されている。図41〜44の実施の形態と同様、この実施の形態は、出芽形状部1440を本体部1495と先細りの冠状部1435との間に配置して備えている。一体型のインプラント1400は、出芽形状部1440と先細りの冠状部1435との間にマージンショルダ1450をさらに有している。
【００５６】
一体型のインプラント1400は、インプラント1300と同じ全体構成を有しているが、先細りの冠状部1435が、工具係合用の造作1481を備える内部の穴1480をさらに取り入れており、この工具係合用の造作1481を、インプラント1400を回転させて、ねじ込みによる患者の顎骨への係合の助けとするために使用することができる。冠状部のサイズがより大きいことで、穴および工具係合用の造作のための適切な材料がもたらされている。穴を備えることによって、一般的な駆動工具を使用することができ、外側の平坦部の形状を、先細りの部位の外側の形状に合わせてさまざまにできるが、内部の形状を、先細りの部位の形状にかかわらず一定に保つことができる。図48および49に示した実施の形態においては、工具係合用の造作1481が、内側の穴1480の一部位であって、1つ以上の平面を有する任意の形状など、多角形の断面または他の非円形の断面を有するように形成された部位である。図45〜49の実施の形態は、先に説明した実施の形態の平坦部1347のような柱1435の外表面の平坦部を有していないが、他の実施の形態では、そのような平坦部ならびに穴の内側の工具係合用の造作を有することができる。
【００５７】
図45〜49の実施の形態においては、先細りの冠状部1435が、縦溝1420および終端部1437を有しており、終端部1437が、長手軸1419に対して横方向である一対の保持凹所1410を備えている。この実施の形態においては、保持凹所1410が隣接歯間の位置に示され、縦溝1420が舌側の位置に示されているが、他の実施の形態は、凹所または溝を別の位置に備えることができる。
【００５８】
終端部1437は、図1〜4に示した実施の形態の終端部137など、先のいくつかの実施の形態において説明した終端部とおおむね同等である。終端部1437は、舌側の弓状面1438および顔側の弓状面1439を有する円錐台形状でない表面を有している。すでに述べたように、終端部1437の構成が、人工歯の設置に先立って実行する必要がある準備作業の量を最小限にしている。さらに、先細りの冠状部1435が、マージンショルダ1450の付近の領域において外側へと広がっており、人工歯がインプラント1400へと設置されたときに着座する土台または出っ張りをもたらしている。
【００５９】
図46に示されているように、マージンショルダ1450が、先細りの冠状部1435と出芽形状部1440との間に配置されている。マージンショルダ1450は、弓形の移行領域1460を有しており、移行領域1460は、その輪郭に沿って変化する曲率半径を有することができる。さらに、マージンショルダ1450は、マージンショルダ1450の舌側1443がマージンショルダ1450の顔側1452よりも高くなるよう、連続的に傾いている隣接歯間の側面1451を有している。マージンショルダ1450の隣接歯間の側面1451は、舌側1443から顔側1452への傾きに正から負または負から正への変化が存在しないように連続的に傾いている。やはり図46に示されているように、出芽形状部1440の舌側の側面1441が、出芽形状部1440の顔側の側面1442よりも大きな長手方向の長さを有している。
【００６０】
さらに、出芽形状部1440は、本体部分1495に隣接して、顔側の凹面1432および舌側の凹面1433を有している。すでに述べたように、凹面1432および1433が、軟組織および骨の成長のためのより大きな余地をもたらしており、審美性を改善するとともに、感染の可能性を少なくしている。図46に示されているように、凹面1432および1433は、ねじ山付きの本体部1495の上部の外側包絡線の直径D2において広がっている。凹面1432および1433は、図45〜49に示した構成以外にも、さまざまな構成を有することができる。例えば、凹面1432および1433は、複数または単一の曲率半径を有することができ、出芽形状部1440へとさまざまな深さで延びることができる。さらに、凹面1432の曲率の中心は、外側包絡線の直径D2の範囲内に位置でき、あるいは外側包絡線の直径D2の外側に位置できる。図45〜49の実施の形態においては、舌側の凹面1433が、顔側の凹面1432よりも大きな曲率半径を有しており、顔側の凹面1432の方が、舌側の凹面1433よりも深く出芽形状部1440へと延びている。
【００６１】
図45〜49の実施の形態に示されているように、本体部1495は、ねじ部1496およびねじなしのカラー部1497を有しており、次いでカラー部1497が、円錐台形状の表面を有するテーパ部1498と、円柱部1499とを有している。いくつかの実施の形態においては、ねじ部1496が先細りであって、2条または3条ねじを備えており、ねじなしのカラー部1497の表面が粗くされている
一体型のインプラントの別の実施の形態が、図50〜53にインプラント1500として示されている。図41〜44の実施の形態と同様、一体型のインプラント1500が、出芽形状部1540を本体部1595と先細りの冠状部1535との間に配置して備えている。一体型のインプラント1500は、出芽形状部1540と先細りの冠状部1535との間にマージンショルダ1550をさらに有している。
【００６２】
図示の実施の形態において、先細りの冠状部1535は、一対の平坦部1547と、縦溝1520と、終端部1537とを有しており、終端部1537は、長手軸1519に対して横方向である一対の保持凹所1510を備えている。この実施の形態においては、平坦部1547および保持凹所1510は隣接歯間の位置に示され、縦溝1520は舌側の位置に示されているが、代替的な実施の形態は、平坦部、凹所、または溝を別の位置に備えることができる。平坦部1547は、インプラント1500の設置時に、インプラント1500を患者の骨へとねじ込んで係合させるうえで役立つよう、インプラント1500を回転させるために使用することができる。
【００６３】
終端部1537は、図1〜4に示した実施の形態の終端部137など、先のいくつかの実施の形態において説明した終端部とおおむね同等である。終端部1537は、舌側の弓状面1538、顔側の弓状面1539、および保持凹所1510を有する円錐台形状でない外表面を有している。すでに述べたように、終端部1537の構成が、人工歯の設置に先立って実行する必要がある準備作業の量を最小限にしている。さらに、先細りの冠状部1535が、マージンショルダ1550の付近の領域において外側へと広がっており、人工歯がインプラント1500へと設置されたときに着座する土台または出っ張りをもたらしている。
【００６４】
図51に示されているように、マージンショルダ1550は、先細りの冠状部1535と出芽形状部1540との間に配置されている。マージンショルダ1550は、弓形の移行領域1560を有しており、移行領域1560は、その輪郭に沿って変化する曲率半径を有することができる。さらに、マージンショルダ1550は、マージンショルダ1550の舌側1543がマージンショルダ1550の顔側1552よりも高くなるよう、連続的に傾いている隣接歯間の側面1551を有しており、この連続的な傾きは、正から負または負から正への変化を有していない。やはり図51に示されているように、出芽形状部1540の舌側の側面1541が、出芽形状部1540の顔側の側面1542よりも大きな長手方向の長さを有している。
【００６５】
さらに、出芽形状部1540は、本体部分1595に隣接して、顔側の凹面1532および舌側の凹面1533を有している。図51に示されているように、凹面1532および1533は、ねじ山付きの本体部1595の上部の外側包絡線の直径D3において広がっている。凹面1532および1533は、図50〜53に示した構成以外にも、さまざまな構成を有することができる。例えば、凹面1532および1533が、複数または単一の曲率半径を有することができ、出芽形状部1540へとさまざまな深さで延びることができる。さらに、凹面1532の曲率の中心は、外側包絡線の直径D3の範囲内に位置でき、あるいは外側包絡線の直径D3の外側に位置できる。図50〜53の実施の形態においては、舌側の凹面1533は、顔側の凹面1532よりも大きな曲率半径を有しており、顔側の凹面1532の方が、舌側の凹面1533よりも深く出芽形状部1540へと延びている。
【００６６】
図50〜53の実施の形態に示されているように、本体部1595は、ねじ部1596およびねじなしのカラー部1597を有している。カラー部1597は、テーパ部1598および円柱部1599を有している。いくつかの実施の形態においては、ねじ部1596が先細りであって、2条または3条ねじを備えており、ねじなしのカラー部1597の表面が粗くされている
図41〜44の実施の形態と異なり、先細りの冠状部1535は、図51に示されているように、本体部1595の中心を通過する長手軸1519から或る角度に設定された中心軸1529を有している。この実施の形態においては、中心軸1529が、長手軸1519から17度の角度に設定されている。他の実施の形態においては、中心軸1529が、17度以外の角度に設定される。一体型のインプラント1500を、柱状部1535が本体部1595および軸1519に対して傾けられている点、および柱状部1535が本体部1595と一体である点に鑑み、本明細書において「角度付き一部品インプラント」または「角度付き一体型インプラント」と描写および呼称することが妥当であると考えられる。
【００６７】
次に図54〜58を参照すると、角度付き一体型インプラントの代替的な実施の形態が、インプラント1600として示されている。図45〜49の実施の形態と同様、この実施の形態は、出芽形状部1640を本体部1695と先細りの冠状部1635との間に配置して備えている。一体型のインプラント1600は、出芽形状部1640と先細りの冠状部1635との間にマージンショルダ1650をさらに有している。
【００６８】
一体型のインプラント1600は、インプラント1500と同じ全体構成を有しているが、先細りの冠状部1635が、工具係合用の造作1681（図57および58を参照）を備える内部の穴1680をさらに取り入れており、この工具係合用の造作1681を、インプラント1600を回転させて、ねじ込みによる患者の顎骨への係合の助けとするために使用することができる。図示の実施の形態においては、工具係合用の造作1681が、内部の穴1680の多角形の端部である。図54〜58の実施の形態は、先に説明した実施の形態の平坦部1547のような外側の平坦部を備えていないが、他の実施の形態は、外側の平坦部および内側の工具係合用の造作の両方を有することができる。
【００６９】
図54〜58の実施の形態においては、先細りの冠状部1635が、縦溝1620および終端部1637を有しており、終端部1637は、長手軸1619に対して横方向である一対の保持凹所1610を備えている。この実施の形態においては、保持凹所1610は隣接歯間の位置に示され、縦溝1620が舌側の位置に示されているが、代替的な実施の形態は、凹所および溝を別の位置に備えることができる。
【００７０】
終端部1637は、図1〜4に示した実施の形態の終端部137など、先のいくつかの実施の形態において説明した終端部とおおむね同等である。終端部1637は、舌側の弓状面1638および顔側の弓状面1639を有する非円錐台形状を有している。すでに述べたように、終端部1637の構成ゆえ、人工歯の設置に先立って実行する必要がある準備作業の量が最小限である。さらに、先細りの冠状部1635が、マージンショルダ1650の付近の領域において外側へと広がっており、人工歯がインプラント1600へと設置されたときに着座する土台または出っ張りをもたらしている。
【００７１】
図55に示されているように、マージンショルダ1650が、先細りの冠状部1635と出芽形状部1640との間に配置されている。マージンショルダ1650は、弓形の移行領域1660を有しており、移行領域1660は、その輪郭に沿って変化する曲率半径を有することができる。さらに、マージンショルダ1650は、マージンショルダ1650の舌側1643がマージンショルダ1650の顔側1652よりも高くなるよう、連続的に傾いている隣接歯間の側面1651を有している。やはり図54に示されているように、出芽形状部1640の舌側の側面1641が、出芽形状部1640の顔側の側面1642よりも大きな長手方向の長さを有している。
【００７２】
さらに、出芽形状部1640は、本体部分1695に隣接して、顔側の凹面1632および舌側の凹面1633を有している。すでに述べたように、凹面1632および1633が、軟組織および骨の成長のためのより大きな余地をもたらしており、審美性を改善するとともに、感染の可能性を少なくしている。図54に示されているように、凹面1632および1633は、ねじ山付きの本体部1695の上部の外側包絡線の直径D4において広がっている。凹面1632および1633は、図54〜58に示した構成以外にも、さまざまな構成を有することができる。例えば、凹面1632および1633が、複数または単一の曲率半径を有することができ、出芽形状部1640へとさまざまな深さで延びることができる。さらに、凹面1632の曲率の中心は、外側包絡線の直径D4の範囲内に位置でき、あるいは外側包絡線の直径D4の外側に位置できる。図54〜58の実施の形態においては、舌側の凹面1633は、顔側の凹面1632よりも大きな曲率半径を有しており、舌側の凹面1633よりもさらに出芽形状部1640へと延びている。
【００７３】
図54〜58の実施の形態に示されているように、本体部1695は、ねじ部1696およびねじなしのカラー部1697を有している。カラー部1697は、テーパ部1698および円柱部1699を有している。いくつかの実施の形態においては、ねじ部1696が先細りであって、2条または3条ねじを備えており、ねじなしのカラー部1697の表面が粗くされている
図45〜49の実施の形態と異なり、先細りの冠状部1635は、図55に示されているように、本体部1695の中心を通過する長手軸1619から或る角度に設定された中心軸1629を有している。この実施の形態においては、中心軸1629は、長手軸1619から17度の角度に設定されている。他の実施の形態においては、中心軸1629が、17度以外の角度に設定される。図58に示されているように、穴1680が、長手軸1619に平行である。
【００７４】
図59および60に示した代替的な実施の形態は、異なる高さのねじ山を有している。この実施の形態は、根元端1796を有するねじ部1795、ねじなしの円柱部1730、出芽形状部1740、マージン1722、ならびに先細りの冠状部または柱状部1735を有している。この実施の形態において、先細りの環状部1735は、他の実施の形態において説明した種々の構成のうちの1つを有することができる。図59および60の実施の形態は、異なる高さのねじ部の配置のための基準線として機能する段部1731（円柱部1730と出芽形状部1740との間）を有している。
【００７５】
図示の実施の形態において、ねじ部1795は、第1のねじ部1797および第2のねじ部1798を有している。第1のねじ部1797が、0.2mmよりもわずかに大きいねじ高さを有するねじ山を備えるのに対し、第2のねじ部1798は、0.2mmよりもはるかに大きいねじ高さを有するねじ山を備えている。図示の実施の形態においては、段部1731から第1のねじ部1797の始まり（第1のねじ部1797の根元端1796から最も遠い端部）までの軸方向の距離が、段部1731から根元端1796までの距離の少なくとも4パーセントである。換言すると、円柱部1730（ねじ山を有していない）が、段部1731と根元端1796との間の軸方向の長さの少なくとも4パーセントである。他の実施の形態においては、円柱部1730が、段部1731と根元端1796との間の軸方向の長さのより大きな割合を含むことができる。
【００７６】
第1および第2のねじ部1797および1798は、単条のねじであっても、多条のねじであってもよい。さらに、第1および第2のねじ部において、ねじの条数が異なっていてもよい。しかしながら、第1および第2のねじ部は、インプラントを回転させたときに両方のねじ部が同じ速度でインプラントを垂直方向に進めるように、調和していなければならない。
【００７７】
歯科システムの他の構成部品が、図61および62に示されている。インプラント1800が、歯科修復技師または医師が、一体型のインプラントまたは2段階式のインプラント（歯肉縁下のインプラントおよび別体のアバットメント）のどちらを使用すべきか、あるいは恒久的な修復において真っ直ぐなアバットメントまたは角度付きのアバットメントのどちらを選択すべきかなど、いくつかの事柄を決定する際に助けとなるように使用することができるフィッティング・インプラントである。
【００７８】
最初の骨切り術によって想定される方向にて、最終的な修復の成功のために必要な臨床パラメータを満足するように一部品のインプラントの一体の修復部を整列させることができるかどうかを判断することが重要である。それらのパラメータとして、これらに限られるわけではないが、口唇マージンの配置、咬合面間のすき間、角度（単独または他に配置されるインプラントとの関係）、およびセラミックスなどの最終的な修復材のための余地が挙げられる。さらに、角度付きの一部品インプラント（そのようなインプラントが必要な場合）を最終的な着座へと回転させるときに隣の歯に干渉しないかどうかを判断することが重要である。一部品インプラントの使用についての最終決定は、通常は、インプラントなどの構成部品のいずれにも関係せず、むしろ骨の質および適切な基礎の安定を達成できる可能性についての医師の臨床的印象に関係する。このような外科的プロセスの初期かつ手つかずの段階においてフィッティング・インプラントを利用するこの手順の独自性が、手術の柔軟性の水準の向上を可能にする。医師は、一部品の一体の修復部をより良好に整列させるために骨切りの方向を変更することができ、あるいは2部品による手順の採用を決定でき、すなわち手術の装備一式への追加をほとんど必要とせずに、修復の選択肢においてより幅広い選択が可能になる。
【００７９】
インプラント1800は、すでに説明した実施の形態のいずれかの構成と同等、または実質的に同様の先細りの冠状部1835および出芽形状部1840を有している。インプラント1800は、所望の恒久インプラントのサイズ、形状、および種類を決定するため、患者の顎のインプラントの部位に形成された穴に容易に出し入れできるよう、先細りかつねじ山のない本体部1895を有している。図61および62に示したインプラント1800は、ねじなしの本体1895に対して傾けられてはいない先細りの冠状部1835を有しているが、他の実施の形態は、ねじなしの本体1895に対して傾けられた冠状部を有することができる。インプラント1800は、プラスチックなど、チタニウムまたは恒久的なインプラントに典型的に使用される他の材料よりも安価な材料で構成することが可能である。
【００８０】
フィッティング・インプラントの代替的な実施の形態が、図63にインプラント1900として示されている。この実施の形態は、インプラント1900が、先細りではなくおおむね円柱形の本体部1995を有している点を除き、図61および62の実施の形態と同じ全体構成を有している。図63の実施の形態においては、先細りの冠状部1935が本体部1995に対して傾けられていない。図63Aに示した実施の形態は、インプラント1920がねじなしの円柱部1975から傾けられた先細りの冠状部1955を有している点を除き、図63の実施の形態とおおむね同等である。
【００８１】
インプラントの代替的な実施の形態が、図64および65にインプラント2000として示されている。インプラント2000は、患者の口腔のモデルの製作を助けるために使用される類似物インプラントである。インプラント2000は、先細りの冠状部2035、出芽形状部2040、および本体部2095を有している。先細りの冠状部2035および出芽形状部2040は、すでに述べた実施の形態における構成のいずれかと同等、または実質的に同様である。本体部2095は、インプラントのサイズおよび構成を識別するためのマーキング2096と、インプラント2000を患者の口腔のモデル化に使用されるモデリング材料に保持できるようにする保持凹所2075とをさらに有している。当業者にとって公知のとおり、先細りの冠状部2035が、印象が患者の口腔で製作された後に、印象キャップ（図示されていない）へと挿入される。次いで、患者の口腔の石型モデルが印象型から製作され、類似物インプラント2000が、保持凹所2075によってモデルに保持される。
【００８２】
インプラントの代替的な実施の形態が、図66にインプラント2100として示されている。インプラント2100は、本体部2195と、出芽形状部2140と、一対の平坦部2147を備える先細りの先端部2135とを有している。先に述べた実施の形態と異なり、図66の実施の形態は、保持凹所ではなく、一対の保持突起2110を有している。保持突起2110は、印象コーピング（図示されていない）またはインプラント2100への他の付属品の相応に寸法および形状付けられた溝に係合するように構成されている。
【００８３】
インプラントの代替的な実施の形態が、図67にインプラント2200として示されている。インプラント2200は、本体部2295、出芽形状部2240、ならびに穴2280および先の実施の形態の図57および58に示したものと同様の工具係合用の造作（図示されていない）を備える先細りの冠状部2235を有している。先に述べた実施の形態と異なり、図67の実施の形態は、保持凹所ではなく、一対の保持突起2210を有している。保持突起2210は、印象コーピング（図示されていない）またはインプラント2200への他の付属品の相応に寸法および形状付けられた溝に係合するように構成されている。
【００８４】
図62A〜62Eに示されているように、2段階式のインプラント・システム1875の一実施の形態が、インプラント1850、アバットメント1860、および接続部材1870を含んで示されている。最初に図62Aおよび62Bを参照すると、システム1875の顔側の分解図が示されており、さらに図62Aの線62Bに沿って得た断面図が示されている。この実施の形態においては、出芽形状部1841が、アバットメント1870にではなくインプラント1850に一体である。インプラント1850は、ねじ部1896と、図20および21に示した凹部330と同様の凹部1832を有する出芽形状部1841とを備えている。さらにインプラント1850は、ねじ部1896と出芽形状部1841との間のねじなしの円柱部1843を有している。さらにインプラント1850は、インプラントの冠状部側の端部にテーパ部1842を備えている。図62Bの断面図に示されているように、インプラント1850は、ねじ山付きの内側穴1843および多角形の凹所1844を冠状部側の端部に有している。
【００８５】
アバットメント1860は、中央穴1862を備えており、多角形のベース部1861によってインプラント1850に係合するように構成されている。アバットメント1860は、末広がりの本体部1863および上部の柱状部1864をさらに有している。接続部材1870が、アバットメント1860をインプラント1850へと接続するように構成されている。接続部材1870は、ねじ部1872と、ねじなしの軸1873と、内側にソケット1876を備える冠状部1874とを有している。
【００８６】
アバットメント1860を、図62C〜62Eに示されているようにインプラント1850へと接続できる。図62Cは、インプラント・システム1875の隣接歯間の図を示し、図62Dは、インプラント・システム1875の顔側の図を示している。図62Dの線62Eに沿って得た断面が、図62Eに示されている。図62Eに示されているように、アバットメント1860の多角形のベース部1861が、冠状部側の端部の多角形の凹所1844に係合する。次いで、接続部材1870を、アバットメント1860の穴1862を通って挿入して、ねじ部1872をねじ山付きの内側穴1843に係合させることができる。次いで、ねじ部1872をねじ山付きの内側穴1843に適切に係合させて、アバットメント1860をインプラント1850へと堅固に接続するために、駆動工具（図示されていない）を内側のソケット1876に係合させ、接続部材1870を回転させるために使用することができる。
【００８７】
次に図68〜73を参照すると、先に述べたおおむね真っ直ぐな（すなわち、先細りの冠状部がねじ部または別体のインプラントの軸に平行である）インプラントまたはアバットメントに組み合わせて使用することができる印象キャップまたはコーピング2300が示されている。印象コーピングの使用は、一般によく知られており、患者の口腔のインプラント部位の印象を取得する前に、アバットメントまたはインプラントの冠状部にコーピングを据えることを含んでいる。図68および69は、それぞれ印象コーピング2300の隣接歯間の図および顔側の図を示し、図70および71は、図68および69の断面図である。図72および73は、それぞれ上面図（または、冠状部側の図）および底面図（または、根元側の図）を示している。
【００８８】
図68〜73の実施の形態に示されているように、印象コーピング2300は、長手軸2311を根元側の端部2330から冠状部側の端部2340へと延在させて有する本体部2310を有している。さらに、印象コーピング2300は、顔側の側面2335、舌側の側面2345、および根元側の端部2330から延びる内側の穴またはチャンバ2320を有している。チャンバ2320は、円錐台形状ではない側壁2383と端壁2395とを有している。根元側の端部2330は、インプラントまたはアバットメント（図示されていない）のマージンショルダの弓状の移行領域に係合または着座するように構成された弓状の縁2321（図70に示されている）を有している。
【００８９】
さらに詳しく後述されるように、冠状部側の端部2340は、患者の口腔の印象の製作に使用される印象材料（図示されていない）への抵抗をもたらすいくつかのリブまたはフランジ部を有している。第1のフランジ部2350が、冠状部側の端部2340を横切って延び、長手軸2311に対して直交する第1の平面におおむね平行である。第2のフランジ部2360は、本体部2310の顔側の側面2335に沿って広がる第2の平面におおむね平行であり、第3のフランジ部2370は、第1のフランジ部2350と第2のフランジ部2360との間を延びている。第3のフランジ部2370は、第1の平面および第2の平面の両者に対して直交する第3の平面におおむね平行である。第4のフランジ部2365が、印象コーピング2300の舌側に沿って第1のフランジ2350から本体部2310へと延びている。
【００９０】
したがって、図示の実施の形態においては、フランジ部2350、2360、2365、および2370が、患者の口腔から印象が作られるときに、3つの異なる横および回転方向について印象コーピングと印象材料との間の動きに抵抗をもたらす。例えば、第1のフランジ部2350が、長手軸2311に平行な方向の動きに抵抗し、第2および第4のフランジ部2360および2365が、顔側／舌側への横方向の動きに抵抗し、すなわち図68の眺めの左側または右側への動きに抵抗する。さらに、第3のフランジ部2370が、隣接歯間の横方向の動きに抵抗し、すなわち図71の眺めの左側または右側への動きに抵抗する。さらに、フランジ部は、印象コーピング2300の印象材料に対する回転移動に対しても抵抗をもたらす。長手軸2311を基準として使用し、第3のフランジ2370が、印象コーピング2300のロールおよびピッチの運動に対して抵抗をもたらす。さらに、第1のフランジ部2350、第2のフランジ部2360、および第4のフランジ部2365が、印象コーピング2300の偏揺れの動きに対して抵抗をもたらす。印象コーピング2300と印象材料との間の動きを少なくすることで、患者の口腔について作り出される型の精度が改善される。
【００９１】
図71の断面図に示されているように、印象コーピング2300は、内側のチャンバ2320から延びる一対の盛り土状の突起2380を有している。さらに詳しく後述されるとおり、突起2380は、保持機構として機能して、上述のインプラントおよびアバットメントの保持凹所に係合するように構成されている。さらに、図68、69、および71において、本体部2310の外面に一対のくぼみ2385を見て取ることができる。くぼみ2385は、突起2380の付近の領域において本体部2310の断面厚さを小さくし、突起2380がアバットメントまたはインプラントの保持凹所に係合するときに本体部2310が撓みやすくなるようにしている。さらに図71および73の実施の形態には、内側のチャンバ2320が、一対のリブまたは段部2390を、軸方向において突起2380と冠状部側の端部2340との間の位置に配置して有する旨が示されている。段部2390は、歯科医療従事者がコーピング2300を設置の際にインプラントまたはアバットメントへと過剰に押し込もうとした場合に、インプラントまたはアバットメントの冠状部側の端部に当接してストッパとして機能するように構成されている。溝または穴などの凹所または空所2391が、段部2390の間に形成されて、本体部2310の柔軟性をさらに高めている。
【００９２】
図68〜73に示した実施の形態は、第3のフランジ部2370を貫いて延びる開口2315をさらに有している。歯科医療従事者は、歯科用インプラントまたはアバットメントにおけるコーピング2300の取り扱いまたは配置の際に、印象コーピングの落下または喪失を防止するため、開口2315にデンタルフロスの輪（図示されていない）を通すことができる。この実施の形態においては、開口2315が第3のフランジ部2370に示されているが、他の実施の形態は、印象コーピングの他の部位に開口を備えることができる。開口2315は、図示のように角張っていても、丸くても、あるいは他の形状であってもよい。
【００９３】
図68〜73に示した実施の形態は、解剖学的なアバットメントまたはインプラントに使用するために適している。例えば、図68に示されているように、顔側の側面2335が、舌側の側面2345と比べ、冠状部側の端部2340からより遠くまで延びている。このやり方で、根元側の端部2330が、先に説明したインプラントおよびアバットメントの斜めのマージンショルダの輪郭（例えば、図1および2に示したマージンショルダ150の隣接歯間の側面151）に一致するよう、舌側の側面2345から顔側の側面2335へと下向きに傾斜している。さらに、印象コーピング2300は、内側の穴またはチャンバ2320を有しており、内側の穴またはチャンバ2320は、解剖学的な形状を有するアバットメントまたはインプラントの形状におおむね一致するように構成された円錐台形状ではない内壁を有している。いくつかの実施の形態においては、内側のチャンバ2320が、図70に見られるように、実質的に円柱形である上部2381および非円錐台形状である下部2382という2つの部位に分割されている。突起2380が、好ましくは、実質的に円柱形である上部2381に位置している。
【００９４】
いくつかの実施の形態においては、印象コーピングを、内部のチャンバの寸法などのコーピングの寸法の特徴を知らせるともに、コーピングが真っ直ぐな歯科用インプラントまたはアバットメントあるいは角度付きの歯科用インプラントまたはアバットメントのどちらに使用されるように構成されているのかを知らせるために、色で標識付けることも可能である。さらに他の実施の形態は、コーピングの寸法の特徴を知らせるために、表面の食刻、切り欠き、または凹所などといったマーキングまたは標識を備えることができる。
【００９５】
図74〜76は、印象コーピング2300のインプラント1400との係合を示している。図示されていないが、印象コーピング2300を、アバットメント100あるいはフィッティング・インプラント1900または類似物インプラント2000などのといった他の適合する歯科用部品に係合させることも可能である。図74は、印象コーピング2300およびインプラント1400を途中まで係合させた状態で示しており、図75および76は、印象コーピング2300およびインプラント1400を、突起2380が保持凹所1410に出会って係合する完全な係合状態に示している。
【００９６】
図75に示されているように、印象コーピング2300およびインプラント1400が完全に係合したとき、根元側の端部2330がマージンショルダ1450に同一面に着座する。図76は、印象コーピング2300が断面で示されており、インプラント1400が断面でない顔側からの眺めで示されている部分断面図である。図76に示されているように、突起2380が保持凹所1410に係合し、印象コーピング2300をインプラント1400に保持している。図76に示した実施の形態においては、くぼみ2385が突起2380の付近の領域においてインプラント2300の断面厚さを小さくして、本体部2310がより容易に撓んでインプラント1400に係合できるようにしている。
【００９７】
さらに図76において、段部2390が先細りの冠状部1435の冠状部側の端部1411に近接しているが、接触はしていないことを見て取ることができる。すでに述べたように、段部2390は、印象コーピング2300がインプラント1400へと過剰に押し込まれるのを防止するように構成されている。また、段部2390の間の空所2391が、コーピング2300の着座および脱離の際に本体部2310がさらに撓むことができるようにしている。さらに図76において、印象コーピング2300の内部のチャンバ2320が、先細りの冠状部1435の解剖学的な全体形状に一致するように構成されていることを見て取ることができる。弓状の縁2321が、マージンショルダ1450の弓状の移行領域1460に着座して示されている。
【００９８】
次に図77〜82を参照すると、先に述べた全体として角度が付けられた（すなわち、先細りの冠状部がねじ部または別体のインプラントから傾けられている）インプラントまたはアバットメントに組み合わせて使用することができる印象キャップまたはコーピング2400が示されている。角度付きのアバットメントまたはインプラントに適合するように構成されてはいるが、この実施の形態は、図68〜73に示した実施の形態に類似している。図77および78は、それぞれ印象コーピング2400の隣接歯間の図および顔側の図を示しており、図79および80は、図77および78の断面図である。図81および82は、それぞれ上面図（または、冠状部側の図）および底面図（または、根元側の図）を示している。
【００９９】
図77〜82の実施の形態に示されているように、印象コーピング2400は、長手軸2411を根元側の端部2430から冠状部側の端部2440へと延在させて有する本体部2410を有している。さらに、印象コーピング2400は、顔側の側面2435、舌側の側面2445、および根元側の端部2430から延びる内側の穴またはチャンバ2420を有している。チャンバ2420は、図79に示されているように、実質的に円柱形の上部2481と非円錐台形状の下部2482とを有する側壁2483、および端壁2495を有している。根元側の端部2430は、インプラントまたはアバットメント（図示されていない）のマージンショルダの弓状の移行領域に係合または着座するように構成された弓状の縁2421（図79に示されている）を有している。図68〜73の実施の形態と同様、冠状部側の端部2440が、第1のフランジ2450、第2のフランジ2460、第3のフランジ2470、および第4のフランジ2465を有している。
【０１００】
図80の断面図に示されているように、印象コーピング2400は、チャンバ2420の実質的に円柱形の上部2481から内向きに延びる一対の突起2480を有している。図示の実施の形態において、突起2480が保持機構として機能して、上述のインプラントおよびアバットメントの保持凹所に係合するように構成されている。さらに図77、78、および80において、本体部2410の外面に、先の実施の形態のくぼみ2385に類似する一対のくぼみ2485を見て取ることができる。図80および82に示されているように、内部の穴2420は、図68〜73の実施の形態の段部2390と同等の一対のリブまたは段部2490、ならびに図68〜73の実施の形態の空所2391と同等の凹所または空所2491を有している。さらに、図77〜82に示した実施の形態は、先の実施の形態の開口2315と同様の開口2415を有している。さらに、図80の断面図においては、印象コーピング2400が角度付きのインプラントまたはアバットメントにおいて使用されるように意図されていることを示すために使用される内部の穴2420の標識2425を見て取ることができる。この実施の形態においては、標識2425は、斜辺を有する凹んだ台形の部位である。
【０１０１】
図77〜82に示した実施の形態も、解剖学的なアバットメントまたはインプラントに使用するために適している。例えば、図77に示されているように、顔側の側面2435が、舌側の側面2445と比べ、冠状部側の端部2440からより遠くまで延びている。このやり方で、根元側の端部2430が、先に説明したインプラントおよびアバットメントの斜めのマージンショルダ（例えば、図22および23に示したマージンショルダ650）の輪郭に一致するよう、舌側の側面2445から顔側の側面2435へと下向きに傾斜している。しかしながら、図77〜82の実施の形態においては、顔側の側面2435と舌側の側面2445との間の差が、先の実施の形態の図68に示した顔側の側面2335と舌側の側面2345との間の差よりも大きい。すなわち、インプラントまたはアバットメントの角度が付けられた冠状部を収容するために、印象キャップ2400の根元側の端部2430は、根元側の端部2330よりも大きな角度で下方へと傾斜している。図77〜82の実施の形態の他の特徴は、図68〜73の実施の形態において見られるものとおおむね同等である。
【０１０２】
図74〜76と同様に、図83〜85は、印象コーピング2400の角度付きの一部品インプラント1600との係合を示している。図示されていないが、印象コーピング2400を、アバットメント600または他の互換のアバットメントに係合させることも可能である。図83は、印象コーピング2400およびインプラント1600を途中まで係合させた状態で示し、図84および85は、印象コーピング2400およびインプラント1400を完全に係合させた状態で示している。
【０１０３】
図84に示されているように、印象コーピング2400およびインプラント1600が完全に係合したとき、根元側の端部2430がマージンショルダ1650に同一面に着座する。図85は、インプラント1600が断面でない顔側からの眺めで示されており、印象コーピング2400が断面で示されており、したがって印象コーピング2400との係合後の先細りの冠状部1635を見て取ることができる部分断面図である。図85に示した実施の形態においては、くぼみ2485が突起2480の付近の領域においてインプラント2400の断面の厚さを小さくして、本体部2410がより容易に撓んでインプラント1600に係合できるようにしている。
【０１０４】
図85に示されているように、突起2480が保持凹所1610に係合し、印象コーピング2400をインプラント1600に保持している。さらに図85において、段部2490が先細りの冠状部1635の冠状部側の端部1611に近接しているが、接触はしていないことを見て取ることができる。すでに述べたように、段部2490は、印象コーピング2400がインプラント1600へと過剰に押し込まれるのを防止するように構成されている。段部2490の間の空所2491が、コーピング2400の着座および脱離の際に本体部2410がさらに撓むことができるようにしている。さらに図85において、印象コーピング2400の内部のチャンバ2420が、先細りの冠状部1635の解剖学的な全体形状に一致するように構成されていることを見て取ることができる。やはり弓状の縁2421が、マージンショルダ1650の弓状の移行領域1660に着座して示されている。
【０１０５】
種々の好ましい実施の形態を図示して説明したが、当業者であれば、本明細書の思想および教示から離れることなく、これらの実施の形態について変更を加えることが可能である。本明細書の実施の形態は、あくまで例示であって、本発明を限定するものではない。本明細書に開示したシステムおよび構成部品について多数の変化形態または修正形態が可能であり、それらは本明細書の教示の範囲に包含される。例えば、保持凹所および舌側の溝の形状および向きが、ここに示した形状および向きと異なっていてもよい。さらに、上述した別々の実施の形態からの特徴を組み合わせて、本システムの代替的な実施の形態を形成することができる。例えば、代替的な実施の形態は、図41〜44の実施の形態の先細りの冠状部と、図59および60の実施の形態に見られる異なる高さのねじ部とを備えることができる。さらに、ここに示したそれぞれの実施の形態の角度付きかつ先細りの冠状部が、他の実施の形態において真っ直ぐであってよく、その逆も然りである。また、図7〜9の実施の形態に示されている隣接歯間の平坦部を、ここに示した任意の実施の形態に備えることが可能であり、図66および67の保持突起を、他の実施の形態において保持凹所に加え、あるいは保持凹所に代えて使用することが可能である。
【図面の簡単な説明】
【０１０６】
【図１】歯科用部品システムの構成部品の一実施の形態の舌側の図である。
【図２】図1の実施の形態の隣接歯間の図である。
【図３】図1の実施の形態の断面図である。
【図４】図1の実施の形態の冠状部からの図である。
【図５】図1〜4の構成部品の代替的な実施の形態の隣接歯間の図である。
【図６】図1〜4の構成部品の代替的な実施の形態の隣接歯間の図である。
【図７】本システムの構成部品の一実施の形態の舌側の図である。
【図８】図7の実施の形態の隣接歯間の図である。
【図９】図7の実施の形態の冠状部からの図である。
【図１０】図7〜9の構成部品の代替的な実施の形態の隣接歯間の図である。
【図１１】図7〜9の構成部品の代替的な実施の形態の隣接歯間の図である。
【図１２】本システムの構成部品の一実施の形態の舌側の図である。
【図１３】図12の実施の形態の隣接歯間の図である。
【図１４】図12の実施の形態の冠状部からの図である。
【図１５】図12〜14の構成部品の代替的な実施の形態の隣接歯間の図である。
【図１６】図12〜14の構成部品の代替的な実施の形態の隣接歯間の図である。
【図１７】本システムの構成部品の一実施の形態の隣接歯間の図である。
【図１８】図17の構成部品の他の実施の形態の隣接歯間の図である。
【図１９】図17の構成部品の他の実施の形態の隣接歯間の図である。
【図２０】本システムの構成部品の一実施の形態の舌側の図である。
【図２１】図20の実施の形態の隣接歯間の図である。
【図２２】本システムの構成部品の一実施の形態の舌側の図である。
【図２３】図22の実施の形態の隣接歯間の図である。
【図２４】図22の実施の形態の顔側の図である。
【図２５】図22の実施の形態の断面図である。
【図２６】図22の実施の形態の冠状部からの図である。
【図２７】図22〜26の構成部品の代替的な実施の形態の隣接歯間の図である。
【図２８】本システムの構成部品の一実施の形態の舌側の図である。
【図２９】図28の実施の形態の隣接歯間の図である。
【図３０】図28の実施の形態の顔側の図である。
【図３１】図28の実施の形態の冠状部からの図である。
【図３２】図28〜31の構成部品の代替的な実施の形態の隣接歯間の図である。
【図３３】本システムの構成部品の一実施の形態の舌側の図である。
【図３４】図33の実施の形態の隣接歯間の図である。
【図３５】図33の実施の形態の顔側の図である。
【図３６】図33の実施の形態の冠状部からの図である。
【図３７】図33〜36の構成部品の代替的な実施の形態の隣接歯間の図である。
【図３８】本システムの構成部品の代替的な実施の形態の舌側の図である。
【図３９】図38の構成部品の代替的な実施の形態の舌側の図である。
【図４０】本システムの構成部品の隣接歯間の図である。
【図４１】本システムの構成部品の一実施の形態の顔側の図である。
【図４２】図41の実施の形態の隣接歯間の図である。
【図４３】図41の実施の形態の一部分の舌側の図である。
【図４４】図41の実施の形態の冠状部からの図である。
【図４５】本システムの構成部品の一実施の形態の顔側の図である。
【図４６】図45の実施の形態の隣接歯間の図である。
【図４７】図45の実施の形態の舌側の図である。
【図４８】図45の実施の形態の冠状部からの図である。
【図４９】図45の実施の形態の一部分の断面図である。
【図５０】本システムの構成部品の一実施の形態の顔側の図である。
【図５１】図50の実施の形態の隣接歯間の図である。
【図５２】図50の実施の形態の一部分の舌側の図である。
【図５３】図50の実施の形態の冠状部からの図である。
【図５４】本システムの構成部品の一実施の形態の顔側の図である。
【図５５】図54の実施の形態の隣接歯間の図である。
【図５６】図54の実施の形態の舌側の図である。
【図５７】図54の実施の形態の冠状部からの図である。
【図５８】図54の実施の形態の一部分の断面図である。
【図５９】システムの構成部品の代替的な実施の形態の隣接歯間の図である。
【図６０】図59の実施の形態の舌側の図である。
【図６１】本システムの構成部品の隣接歯間の図である。
【図６２】図61の構成部品の顔側の図である。
【図６２Ａ】本システムの代替的な実施の形態を分解して示した顔側の図である。
【図６２Ｂ】図62Aの実施の形態の断面図である。
【図６２Ｃ】組み立てられた図62Aの実施の形態の隣接歯間の図である。
【図６２Ｄ】図62Cの実施の形態の顔側の図である。
【図６２Ｅ】図62Cの実施の形態の隣接歯間の断面図である。
【図６３】本システムの構成部品の一実施の形態の斜視図である。
【図６３Ａ】図63の構成部品の他の実施の形態の斜視図である。
【図６４】本システムの構成部品の隣接歯間の図である。
【図６５】図64の実施の形態の顔側の図である。
【図６６】システム構成部品の他の実施の形態の顔側の図である。
【図６７】システム構成部品の他の実施の形態の顔側の図である。
【図６８】本システムの構成部品の一実施の形態の隣接歯間の図である。
【図６９】図68の実施の形態の顔側の図である。
【図７０】図68の実施の形態の隣接歯間の断面図である。
【図７１】図68の実施の形態の舌側の断面図である。
【図７２】図68の実施の形態の冠状部からの図である。
【図７３】図68の実施の形態の底部からの図である。
【図７４】図68および図45の実施の形態からなる集合体の隣接歯間の図であり、途中まで分解されている。
【図７５】図74の実施の形態の集合体の図である。
【図７６】図75の実施の形態の集合体の顔側の図であり、一部が断面にされている。
【図７７】本システムの構成部品の一実施の形態の隣接歯間の図である。
【図７８】図77の実施の形態の顔側の図である。
【図７９】図77の実施の形態の隣接歯間の断面図である。
【図８０】図77の実施の形態の舌側の断面図である。
【図８１】図77の実施の形態の冠状部からの図である。
【図８２】図77の実施の形態の底部からの図である。
【図８３】図77および図54の実施の形態からなる集合体の隣接歯間の図であり、途中まで分解されている。
【図８４】図83の実施の形態の集合体の図である。
【図８５】図83の実施の形態の集合体の顔側の図であり、一部が断面にされている。
【図１】
0005455366.tif 000002
【図２】
0005455366.tif 000003
【図３】
0005455366.tif 000004
【図４】
0005455366.tif 000005
【図５】
0005455366.tif 000006
【図６】
0005455366.tif 000007
【図７】
0005455366.tif 000008
【図８】
0005455366.tif 000009
【図９】
0005455366.tif 000010
【図１０】
0005455366.tif 000011
【図１１】
0005455366.tif 000012
【図１２】
0005455366.tif 000013
【図１３】
0005455366.tif 000014
【図１４】
0005455366.tif 000015
【図１５】
0005455366.tif 000016
【図１６】
0005455366.tif 000017
【図１７】
0005455366.tif 000018
【図１８】
0005455366.tif 000019
【図１９】
0005455366.tif 000020
【図２０】
0005455366.tif 000021
【図２１】
0005455366.tif 000022
【図２２】
0005455366.tif 000023
【図２３】
0005455366.tif 000024
【図２４】
0005455366.tif 000025
【図２５】
0005455366.tif 000026
【図２６】
0005455366.tif 000027
【図２７】
0005455366.tif 000028
【図２８】
0005455366.tif 000029
【図２９】
0005455366.tif 000030
【図３０】
0005455366.tif 000031
【図３１】
0005455366.tif 000032
【図３２】
0005455366.tif 000033
【図３３】
0005455366.tif 000034
【図３４】
0005455366.tif 000035
【図３５】
0005455366.tif 000036
【図３６】
0005455366.tif 000037
【図３７】
0005455366.tif 000038
【図３８】
0005455366.tif 000039
【図３９】
0005455366.tif 000040
【図４０】
0005455366.tif 000041
【図４１】
0005455366.tif 000042
【図４２】
0005455366.tif 000043
【図４３】
0005455366.tif 000044
【図４４】
0005455366.tif 000045
【図４５】
0005455366.tif 000046
【図４６】
0005455366.tif 000047
【図４７】
0005455366.tif 000048
【図４８】
0005455366.tif 000049
【図４９】
0005455366.tif 000050
【図５０】
0005455366.tif 000051
【図５１】
0005455366.tif 000052
【図５２】
0005455366.tif 000053
【図５３】
0005455366.tif 000054
【図５４】
0005455366.tif 000055
【図５５】
0005455366.tif 000056
【図５６】
0005455366.tif 000057
【図５７】
0005455366.tif 000058
【図５８】
0005455366.tif 000059
【図５９】
0005455366.tif 000060
【図６０】
0005455366.tif 000061
【図６１】
0005455366.tif 000062
【図６２】
0005455366.tif 000063
【図６２Ａ】
0005455366.tif 000064
【図６２Ｂ】
0005455366.tif 000065
【図６２Ｃ】
0005455366.tif 000066
【図６２Ｄ】
0005455366.tif 000067
【図６２Ｅ】
0005455366.tif 000068
【図６３】
0005455366.tif 000069
【図６３Ａ】
0005455366.tif 000070
【図６４】
0005455366.tif 000071
【図６５】
0005455366.tif 000072
【図６６】
0005455366.tif 000073
【図６７】
0005455366.tif 000074
【図６８】
0005455366.tif 000075
【図６９】
0005455366.tif 000076
【図７０】
0005455366.tif 000077
【図７１】
0005455366.tif 000078
【図７２】
0005455366.tif 000079
【図７３】
0005455366.tif 000080
【図７４】
0005455366.tif 000081
【図７５】
0005455366.tif 000082
【図７６】
0005455366.tif 000083
【図７７】
0005455366.tif 000084
【図７８】
0005455366.tif 000085
【図７９】
0005455366.tif 000086
【図８０】
0005455366.tif 000087
【図８１】
0005455366.tif 000088
【図８２】
0005455366.tif 000089
【図８３】
0005455366.tif 000090
【図８４】
0005455366.tif 000091
【図８５】
0005455366.tif 000092